(57)【要約】【課題】電源投入から利用可能になるまでの時間が短い表示用アクセサリを提供する。【解決手段】表示用アクセサリは、カメラボディに着脱可能な取付部と、カメラボディへの装着に応じて、カメラボディから第１電圧が供給される第１接点と、カメラボディへの装着に応じて、カメラボディから第１電圧とは異なる第２電圧が供給される第２接点と、第１接点から供給される第１電圧に基づいて、第１電圧とは異なる第３電圧を生成する電源生成部と、電源生成部により生成された第３電圧により動作し、カメラボディから映像信号を受信する受信部と、受信部により受信された映像信号に基づく映像を表示する表示部と、第２接点から供給される第２電圧により動作し、受信部および表示部を制御する制御部と、を備える。【選択図】図１
2015075503.tif 000002
【特許請求の範囲】
【請求項１】
カメラボディに着脱可能な取付部と、
前記カメラボディへの装着に応じて、前記カメラボディから第１電圧が供給される第１接点と、
前記カメラボディへの装着に応じて、前記カメラボディから前記第１電圧とは異なる第２電圧が供給される第２接点と、
前記第１接点から供給される第１電圧に基づいて、前記第１電圧とは異なる第３電圧を生成する電源生成部と、
前記電源生成部により生成された前記第３電圧により動作し、前記カメラボディから映像信号を受信する受信部と、
前記受信部により受信された前記映像信号に基づく映像を表示する表示部と、
前記第２接点から供給される第２電圧により動作し、前記受信部および前記表示部を制御する制御部と、
を備えることを特徴とする表示用アクセサリ。
【請求項２】
請求項１に記載の表示用アクセサリにおいて、
前記制御部は、前記第２接点から前記第２電圧が供給されたことに応じて、前記カメラボディとのデータ通信を行い、前記受信部および前記表示部の制御に用いる所定情報を受信することを特徴とする表示用アクセサリ。
【請求項３】
請求項１または２に記載の表示用アクセサリにおいて、
前記電源生成部は、前記第１電圧に基づいて、前記第３電圧と、前記第３電圧とは異なる第４電圧とを生成し、
前記受信部は、前記第３電圧と前記第４電圧とにより動作することを特徴とする表示用アクセサリ。
【請求項４】
請求項１〜３のいずれか一項に記載の表示用アクセサリにおいて、
前記第２接点から供給される第２電圧と、前記電源生成部により生成される前記第３電圧とは、略同一の電圧であることを特徴とする表示用アクセサリ。
【発明の詳細な説明】
【技術分野】
【０００１】
本発明は、表示用アクセサリに関する。
【背景技術】
【０００２】
従来、電子ビューファインダーユニットなど、カメラ本体に装着可能な表示用アクセサリが知られている。例えば特許文献１には、外部ストロボを取り付けるアクセサリーシュー部に装着可能な電子ビューファインダーが記載されている。
【先行技術文献】
【特許文献】
【０００３】
【特許文献１】特開２００８−１９９３１８号公報
【発明の概要】
【発明が解決しようとする課題】
【０００４】
従来の表示用アクセサリには、カメラ本体への電源投入からアクセサリが利用可能になるまでに時間が掛かってしまうという問題があった。
【課題を解決するための手段】
【０００５】
請求項１に記載の表示用アクセサリは、カメラボディに着脱可能な取付部と、前記カメラボディへの装着に応じて、前記カメラボディから第１電圧が供給される第１接点と、前記カメラボディへの装着に応じて、前記カメラボディから前記第１電圧とは異なる第２電圧が供給される第２接点と、前記第１接点から供給される第１電圧に基づいて、前記第１電圧とは異なる第３電圧を生成する電源生成部と、前記電源生成部により生成された前記第３電圧により動作し、前記カメラボディから映像信号を受信する受信部と、前記受信部により受信された前記映像信号に基づく映像を表示する表示部と、前記第２接点から供給される第２電圧により動作し、前記受信部および前記表示部を制御する制御部と、を備えることを特徴とする。
【発明の効果】
【０００６】
本発明によれば、電源投入から利用可能になるまでの時間が短い表示用アクセサリを提供することができる。
【図面の簡単な説明】
【０００７】
【図１】本発明を適用したレンズ交換式のカメラシステムを示した斜視図である。
【図２】本発明を適用したレンズ交換式のカメラシステムを示した断面図である。
【図３】カメラボディ１００とアクセサリ３００の構成を模式的に示すブロック図である。
【図４】アクセサリ３００の起動処理を示すタイムチャートである。
【発明を実施するための形態】
【０００８】
（第１の実施の形態）
以下、本発明の第１の実施の形態に係るレンズ交換式のデジタルカメラについて説明する。なお、以下の説明では本発明に特に関係する箇所について述べ、それ以外の箇所については図示と説明を省略する。
【０００９】
図１および図２は、本発明を適用したレンズ交換式のカメラシステムを示した斜視図である。カメラシステム１は、カメラボディ１００と、カメラボディ１００に着脱可能な交換レンズ２００と、カメラボディ１００に着脱可能なアクセサリ３００とから構成される。
【００１０】
カメラボディ１００の筐体前面１０には、交換レンズ２００が着脱可能に取り付けられるボディ側マウント部１０１が設けられている。交換レンズ２００には、ボディ側マウント部１０１に対応する、カメラボディ１００が着脱可能に取り付けられるレンズ側マウント部２０１が設けられている。
【００１１】
カメラボディ１００内のボディ側マウント部１０１後方には、例えばＣＭＯＳやＣＣＤなどの撮像素子１０２が設けられている。カメラボディ１００の筐体上面２０には、レリーズスイッチ１０３が設けられている。カメラボディ１００の筐体後面３０には、種々のボタン１０４が設けられている。ユーザはレリーズスイッチ１０３やボタン１０４等の入力装置を用いて、カメラボディ１００に撮影指示や撮影条件の設定指示等を入力する。
【００１２】
カメラボディ１００の筐体後面３０には、背面モニタ１０５が設けられている。背面モニタ１０５は、例えば液晶ディスプレイ等を用いた表示装置である。背面モニタ１０５は、例えば被写体像のライブビュー表示や、撮影設定のメニュー表示等を行う。
【００１３】
カメラボディ１００の筐体上面２０には、アクセサリ３００が着脱可能に取り付けられるシュー座１０６が設けられている。アクセサリ３００には、シュー座１０６に対応する、カメラボディ１００が着脱可能に取り付けられるコネクタ３０１が設けられている。
【００１４】
アクセサリ３００は、いわゆる電子ビューファインダー（ＥＶＦ）機能を提供する。アクセサリ３００の背面４０には、ファインダー窓３０２が設けられている。アクセサリ３００内部には、液晶パネル３０３が設けられている。ユーザは、ファインダー窓３０２を覗くことにより、液晶パネル３０３に表示された映像を視認することができる。
【００１５】
ファインダー窓３０２の近傍には、近接センサ３１６が設けられている。近接センサ３１６は、ファインダー窓３０２にユーザの顔が近接していること、すなわち、ユーザがファインダー窓３０２を覗いていることを検知する。近接センサ３１６の検知結果は、液晶パネル３０３と背面モニタ１０５のどちらにライブビュー表示等を行うかを決定するために用いられる。
【００１６】
カメラボディ１００にアクセサリ３００を装着すると、通常は背面モニタ１０５に表示される画面を、アクセサリ３００の液晶パネル３０３に表示することができる。例えば、いわゆるライブビューやメニュー画面は、通常は背面モニタ１０５に表示されるが、アクセサリ３００の液晶パネル３０３に表示先を切り替えることができる。背面モニタ１０５と液晶パネル３０３は排他的に利用される。
【００１７】
例えば、ユーザがファインダー窓３０２に近接したことを近接センサ３１６が検知すると、背面モニタ１０５は消灯され、液晶パネル３０３にライブビュー表示が開始される。逆に、ユーザがファインダー窓３０２から離れたことを近接センサ３１６が検知すると、液晶パネル３０３は消灯され、背面モニタ１０５へのライブビュー表示が開始される。なお、アクセサリ３００に設けられた不図示の操作部材（スイッチ等）を操作することで、近接センサ３１６の検知結果を無視して、いずれか一方に表示を固定することも可能である。
【００１８】
図３は、カメラボディ１００とアクセサリ３００の構成を模式的に示すブロック図である。カメラボディ１００のシュー座１０６には、２１個の電気接点ＰＢ１〜ＰＢ２１が設けられている。アクセサリ３００のコネクタ３０１には、２１個の電気接点ＰＡ１〜ＰＡ２１が設けられている。アクセサリ３００をカメラボディ１００に装着すると、シュー座１０６に設けられた２１個の電気接点ＰＢ１〜ＰＢ２１と、コネクタ３０１に設けられた２１個の電気接点ＰＡ１〜ＰＡ２１とが電気的に接続される。これらの接点は、カメラボディ１００からアクセサリ３００への電力供給や、カメラボディ１００とアクセサリ３００との間の信号の授受に用いられる。
【００１９】
次に、シュー座１０６に設けられた電気接点と、コネクタ３０１に設けられた電気接点とについて説明する。なおシュー座１０６に設けられた２１個の電気接点ＰＢ１〜ＰＢ２１は、ＰＢ１〜ＰＢ１２までが図３に示した配列順序でシュー座１０６上に配置されており、且つＰＢ１３〜ＰＢ２１が図３に示した配列順序でシュー座１０６上に配置されている。またＰＢ１〜ＰＢ１２までのセットとＰＢ１３〜ＰＢ２１までのセットは、上下に分離しシュー座１０６上に配置されている。コネクタ３０１に設けられた２１個の電気接点ＰＡ１〜ＰＡ２１も同様に、ＰＡ１〜ＰＡ１２までが図３に示した配列順序でコネクタ３０１上に配置されており、且つＰＡ１３〜ＰＡ２１が図３に示した配列順序でコネクタ３０１上に配置されている。またＰＡ１〜ＰＡ１２までのセットとＰＡ１３〜ＰＡ２１までのセットは、上下に分離しコネクタ３０１上に配置されている。
【００２０】
電気接点ＰＢ１１、ＰＢ１２、ＰＡ１１、ＰＡ１２は、カメラボディ１００がアクセサリ３００に電圧ＶＢＡＴを供給する接点である。以下、電気接点ＰＢ１１、ＰＢ１２、ＰＡ１１、ＰＡ１２により構成される信号線を、信号線ＶＢＡＴと称する。
【００２１】
電気接点ＰＢ１、ＰＢ２、ＰＡ１、ＰＡ２は、電圧ＶＢＡＴの基準電位を提供する接地端子となる接点である。以下、電気接点ＰＢ１、ＰＢ２、ＰＡ１、ＰＡ２により構成される信号線を、信号線ＰＧＮＤと称する。
【００２２】
電気接点ＰＢ３、ＰＢ１５、ＰＢ１８、ＰＢ２１、ＰＡ３、ＰＡ１５、ＰＡ１８、ＰＡ２１は、他の電気接点を流れる信号の基準電位を提供する接地端子（シグナルＧＮＤ）となる接点である。
【００２３】
電気接点ＰＢ４、ＰＡ４は、アクセサリＣＰＵ３１０がデータ通信用のクロック信号を生成しボディＣＰＵ１１０に出力する接点である。以下、電気接点ＰＢ４、ＰＡ４により構成される信号線を、信号線ＣＬＫと称する。
【００２４】
電気接点ＰＢ６、ＰＡ６は、上記のクロック信号に同期して授受されるデータ信号が流れる接点である。データ信号は、例えばボディＣＰＵ１１０がアクセサリＣＰＵ３１０に対して出力したり、アクセサリＣＰＵ３１０がボディＣＰＵ１１０に対して出力したりする。以下、電気接点ＰＢ６、ＰＡ６により構成される信号線を、信号線ＤＡＴＡと称する。
【００２５】
電気接点ＰＢ９、ＰＡ９は、信号線ＣＬＫ、ＤＡＴＡを用いたデータ通信を開始する際に、ボディＣＰＵ１１０がアクセサリＣＰＵ３１０に通信開始を指示する信号を出力する接点である。換言すると、ボディＣＰＵ１１０がクロック信号の出力要求を表す信号を出力する接点である。アクセサリＣＰＵ３１０はこの信号に応じて、信号線ＣＬＫにクロック信号を出力する。以下、電気接点ＰＢ９、ＰＡ９により構成される信号線を、信号線ＣＳと称する。
【００２６】
電気接点ＰＢ７、ＰＡ７は、ボディＣＰＵ１１０がアクセサリ３００の装着を検知するための接点である。電気接点ＰＡ７には、不図示のスイッチが接続されている。このスイッチは、コネクタ３０１近傍に設けられたプッシュスイッチである。スイッチは、アクセサリ３００がカメラボディ１００に装着されるとオンされる。スイッチのオンオフに応じて、電気接点ＰＢ７の電位が変化する。ボディＣＰＵ１１０は、電気接点ＰＢ７の電位に基づき、アクセサリ３００の装着を検知する。
【００２７】
電気接点ＰＢ８は、アクセサリ３００とは異なるアクセサリ（例えば撮影補助光を投射する発光装置等）がカメラボディ１００に装着された場合にボディＣＰＵ１１０が利用する電気接点である。アクセサリ３００は、電気接点ＰＢ８に対応する電気接点ＰＡ８を有しているが、電気接点ＰＡ８は開放状態であり、何も接続されていない。
【００２８】
電気接点ＰＢ１０、ＰＢ１６、ＰＢ１７、ＰＡ１０、ＰＡ１６、ＰＡ１７は、将来的な拡張の余地を残すために設けられている電気接点である。電気接点ＰＢ１０、ＰＢ１６、ＰＢ１７、ＰＡ１０、ＰＡ１６、ＰＡ１７は開放状態であり、何も接続されていない。
【００２９】
電気接点ＰＢ１４、ＰＡ１４は、カメラボディ１００がアクセサリ３００に電圧Ｖｃｃを供給する接点である。以下、電気接点ＰＢ１４、ＰＡ１４により構成される信号線を、信号線ＶＣＣと称する。
【００３０】
電気接点ＰＢ１、ＰＢ２、ＰＡ１、ＰＡ２は、電圧ＶＢＡＴの基準電位を提供する接地端子（ＧＮＤ）となる接点である。
【００３１】
電気接点ＰＢ１９、ＰＢ２０、ＰＡ１９、ＰＡ２０は、トランスミッタＩＣ１１３がレシーバＩＣ３１３に、いわゆるＬＶＤＳ（Low Voltage Differencial Signaling）に基づきシリアライズされた一対の信号を送信するための接点である。換言すると、カメラボディ１００がアクセサリ３００に映像信号を出力する接点である。電気接点ＰＢ１９、ＰＡ１９には、一対の信号のうち正の電圧を有する信号が伝送される。電気接点ＰＢ２０、ＰＡ２０には、一対の信号のうち負の電圧を有する信号が伝送される。これら一対の信号は、いわゆる差動信号であり、正負の方向に対称な波形を有する信号である。
【００３２】
電気接点ＰＢ１３、ＰＡ１３は、アクセサリＣＰＵ３１０がボディＣＰＵ１１０に、スルー画等の表示先を背面モニタ１０５と液晶パネル３０３との間で切り替えるよう要求するための接点である。換言すると、アクセサリＣＰＵ３１０がボディＣＰＵ１１０に、映像信号の送信開始および送信停止の指示を表す信号を出力するための接点である。アクセサリＣＰＵ３１０は、例えば、近接センサ３１６によるユーザの近接状態の検知結果が変化したりしたことに応じて、電気接点ＰＡ１３に出力する信号の信号レベルを変化させる。ボディＣＰＵ１１０は、電気接点ＰＡ１３、ＰＢ１３に流れる信号の信号レベルが変化したことを検出すると、スルー画等の表示先を切り替えるための制御を行う。
【００３３】
カメラボディ１００は、ボディＣＰＵ１１０と、バッテリー１１１と、ＤＣ／ＤＣコンバータ１１２と、トランスミッタＩＣ１１３とを備える。ボディＣＰＵ１１０は、不図示のＲＯＭに予め格納された制御プログラムを読み込んで実行することにより、カメラボディ１００全体の制御を行う。バッテリー１１１は、カメラボディ１００やアクセサリ３００の電力源である二次電池である。バッテリー１１１は、電気接点ＰＢ１１、ＰＢ１２、ＰＡ１１、ＰＡ１２を介して、アクセサリ３００に電圧ＶＢＡＴを供給する。電圧ＶＢＡＴは、例えば５〜１２ボルト程度の電圧である。ＤＣ／ＤＣコンバータ１１２は、バッテリー１１１から供給される電圧ＶＢＡＴを変換する。ＤＣ／ＤＣコンバータ１１２は、電気接点ＰＢ１４を介して、アクセサリ３００に電圧Ｖｃｃを供給する。電圧Ｖｃｃは、約３．３ボルトの電圧である。トランスミッタＩＣ１１３は、映像信号を送信するＩＣである。トランスミッタＩＣ１１３は、電気接点ＰＢ１９、ＰＢ２０、ＰＡ１９、ＰＡ２０を介して、アクセサリ３００に映像信号を送信する。
【００３４】
アクセサリ３００は、アクセサリＣＰＵ３１０と、レシーバＩＣ３１３と、ＬＣＤドライバＩＣ３１４と、電源生成回路３１５と、ＢＬドライバＩＣ３１７とを備える。アクセサリＣＰＵ３１０は、不図示のＲＯＭに予め格納された制御プログラムを読み込んで実行することにより、アクセサリ３００全体の制御を行う。レシーバＩＣ３１３は、映像信号を受信するＩＣである。レシーバＩＣ３１３は、電気接点ＰＢ１９、ＰＢ２０、ＰＡ１９、ＰＡ２０を介して、カメラボディ１００から映像信号を受信する。レシーバＩＣ３１３は、カメラボディ１００が有するトランスミッタＩＣ１１３と対になっている。ＬＣＤドライバＩＣ３１４は、液晶パネル３０３の駆動制御を行う。ＢＬドライバＩＣ３１７は、液晶パネル３０３が有するバックライトの駆動制御を行う。
【００３５】
電源生成回路３１５は、電気接点ＰＢ１１、ＰＢ１２、ＰＡ１１、ＰＡ１２を介してカメラボディ１００から入力された電圧ＶＢＡＴを変換し、電圧Ｖ０を生成する。電圧Ｖ０は、例えば約４ボルト程度の電圧である。電源生成回路３１５は、生成した電圧Ｖ０から、更に電圧Ｖ１、Ｖ２、Ｖ３を生成する。電圧Ｖ１は、例えば約１．８ボルト程度の電圧である。電圧Ｖ２は、例えば約３．３ボルト程度の電圧である。電圧Ｖ３は、例えば約９ボルト程度の電圧である。
【００３６】
カメラボディ１００が電源オン状態のとき、撮像素子１０２は所定時間（例えば６０分の１秒）ごとに繰り返し撮像を行い、撮像信号を出力する。撮像素子１０２から出力された撮像信号は、ボディＣＰＵ１１０に入力される。ボディＣＰＵ１１０は、入力された撮像信号に種々の画像処理を施した映像信号を出力する。ボディＣＰＵ１１０が出力した映像信号は、トランスミッタＩＣ１１３および背面モニタ１０５の少なくとも一方に入力される。背面モニタ１０５は、入力された映像信号に基づく映像（スルー画）を表示する。
【００３７】
トランスミッタＩＣ１１３は、入力された映像信号を、いわゆるＬＶＤＳに基づく信号にシリアライズする。トランスミッタＩＣ１１３は、シリアライズした信号を、電気接点ＰＢ１９、ＰＢ２０、ＰＡ１９、ＰＡ２０を介してアクセサリ３００に送信する。
【００３８】
アクセサリ３００内のレシーバＩＣ３１３は、受信したＬＶＤＳに基づく信号を元の映像信号にデシリアライズする。レシーバＩＣ３１３は、デシリアライズした映像信号を、ＬＣＤドライバＩＣ３１４に出力する。ＬＣＤドライバＩＣ３１４は、入力された映像信号に基づく映像（スルー画）を、液晶パネル３０３に表示する。
【００３９】
ボディＣＰＵ１１０とアクセサリＣＰＵ３１０とは、信号線ＣＳ、CLK、DATAにより接続されている。信号線ＣＳ、信号線CLKおよび信号線DATAは、ボディＣＰＵ１１０とアクセサリＣＰＵ３１０との間で半二重のシリアルデータ通信を行うための信号線である。
【００４０】
（アクセサリ３００の起動処理の説明）
カメラボディ１００からアクセサリ３００には、電圧ＶＢＡＴおよび電圧Ｖｃｃの２系統の電圧が供給される。電圧Ｖｃｃは、アクセサリＣＰＵ３１０を動作させるための電圧である。電圧Ｖｃｃは、アクセサリＣＰＵ３１０に供給される。電圧ＶＢＡＴは、アクセサリＣＰＵ３１０以外の周辺回路を動作させるための電圧である。電圧ＶＢＡＴは、電源生成回路３１５に供給される。
【００４１】
電源生成回路３１５は、電圧ＶＢＡＴを基に電圧Ｖ０を生成する。電源生成回路３１５は、電圧Ｖ０を基に、更に電圧Ｖ１、Ｖ２、Ｖ３を生成する。アクセサリ３００が有する周辺回路は、それぞれ電源生成回路３１５により生成される１つ乃至複数の電圧により動作する。例えばレシーバＩＣ３１３は、電圧Ｖ１、Ｖ２により動作する。ＬＣＤドライバＩＣ３１４は、電圧Ｖ１、Ｖ２、Ｖ３により動作する。近接センサ３１６は、電圧Ｖ２により動作する。ＢＬドライバＩＣ３１７は、電圧Ｖ２により動作する。液晶パネル３０３は、電圧Ｖ０、Ｖ３により動作する。
【００４２】
このように、アクセサリ３００は、それぞれ異なる電圧により動作する複数の周辺回路を有している。これらの電圧の各々をカメラボディ１００から供給することも可能であるが、そうすると電圧供給のために多数の電気接点が占有されてしまうことになる。そこでアクセサリ３００は、カメラボディ１００から供給される電圧ＶＢＡＴを基に、電源生成回路３１５が多種類の電圧を生成するように構成されている。
【００４３】
ところで、アクセサリＣＰＵ３１０を、カメラボディ１００から供給される電圧Ｖｃｃではなく、電源生成回路３１５により生成される電圧Ｖ２（電圧Ｖｃｃと略同一の電圧）で動作させることも、理論上は可能である。しかしながら、アクセサリ３００をそのように構成すると、アクセサリ３００をカメラボディ１００に装着してからアクセサリ３００が利用可能になるまでの時間が長くなってしまう。以下、この点について詳述する。
【００４４】
図４は、アクセサリ３００の起動処理を示すタイムチャートである。カメラボディ１００が電源オン状態のときにアクセサリ３００をカメラボディ１００に装着すると、ボディＣＰＵ１１０はアクセサリ３００の装着を検知する（時刻ｔ１）。ボディＣＰＵ１１０は、この検知に応じて、電圧ＶＢＡＴ、Ｖｃｃの給電を開始する。アクセサリＣＰＵ３１０は、電圧Ｖｃｃの給電に応じて動作を開始する（起動する）。電源生成回路３１５は、電圧ＶＢＡＴの給電に応じて動作を開始する（起動する）。
【００４５】
動作を開始したアクセサリＣＰＵ３１０は、まず不図示の記憶媒体から制御プログラムを読み込む（時刻ｔ１〜ｔ２）。それが終わると、アクセサリＣＰＵ３１０は電源生成回路３１５に制御信号を出力し、各種電圧の生成開始を指示する。その後、アクセサリＣＰＵ３１０は、ボディＣＰＵ１１０との初期通信を行う（時刻ｔ２〜ｔ５）。初期通信は、信号線CLK、DATAを介したデータ通信である。初期通信において、ボディＣＰＵ１１０はアクセサリ３００に関する情報（例えば、アクセサリ３００が表示用アクセサリであることや、液晶パネル３０３に設定可能な明るさの範囲等）を受け取る。そして、ボディＣＰＵ１１０は受け取った情報に基づいてアクセサリ３００の動作に関する情報（例えば、液晶パネル３０３の明るさ等）をアクセサリＣＰＵ３１０に送信する。アクセサリＣＰＵ３１０は、初期通信により得られたそれらの情報に基づきアクセサリ３００を制御する。
【００４６】
他方、動作を開始した電源生成回路３１５は、アクセサリＣＰＵ３１０からの電圧生成指示に応じて、まず電圧ＶＢＡＴに基づく電圧Ｖ０の生成処理を開始する（時刻ｔ２〜ｔ３）。次に電源生成回路３１５は、電圧Ｖ０に基づく電圧Ｖ１〜Ｖ３の生成処理を順次開始する（時刻ｔ３〜ｔ６）。これにより、液晶パネル３０３、レシーバＩＣ３１３、ＬＣＤドライバＩＣ３１４、近接センサ３１６、ＢＬドライバＩＣ３１７の各々に電圧Ｖ１〜Ｖ３の供給が開始される。その結果、電圧Ｖ１および電圧Ｖ２の供給が開始される時刻ｔ５の時点でレシーバＩＣ３１３が動作可能な状態になる。換言すると、カメラボディ１００から映像信号を受信可能な状態になる。そして、電圧Ｖ１〜Ｖ３の供給が開始される時刻ｔ６の時点で、液晶パネル３０３と、液晶パネル３０３に映像を表示するために必要な全ての周辺回路（ＬＣＤドライバＩＣ３１４、ＢＬドライバＩＣ３１７）が動作可能な状態になる。
【００４７】
仮に、電源生成回路３１５を、アクセサリＣＰＵ３１０による指示を待たずに各種電圧の生成を開始するように構成し、アクセサリＣＰＵ３１０を、電源生成回路３１５により生成される電圧Ｖ２で動作するよう構成してしまうと、アクセサリＣＰＵ３１０の動作開始は電圧Ｖ２の供給が開始される時刻になる。この場合、アクセサリＣＰＵ３１０による初期化処理（制御プログラムの読み込みおよび初期通信）は、時刻ｔ６よりも後に完了することになってしまう。つまり、液晶パネル３０３に映像を表示可能なタイミングが、図４に示した時刻ｔ６よりも後になってしまう。
【００４８】
本実施形態では、電圧ＶＢＡＴとは別に電圧Ｖｃｃを供給し、アクセサリＣＰＵ３１０が電圧Ｖｃｃにより動作するように構成したので、アクセサリＣＰＵ３１０は、電源生成回路３１５による各電圧の生成開始を待つまでもなく動作を開始することができる。アクセサリＣＰＵ３１０は、例えば初期通信など、起動時に実行しなければならない初期化処理を、電源生成回路３１５による各電圧の生成処理と並行して実行することができ、アクセサリ３００の利用開始までの時間を短縮することができる。
【００４９】
上述した第１の実施の形態によるカメラシステムによれば、次の作用効果が得られる。
（１）電気接点ＰＡ１１、ＰＡ１２（第１接点）には、カメラボディ１００への装着に応じて、カメラボディ１００から電圧ＶＢＡＴ（第１電圧）が供給される。電気接点ＰＡ１４（第２接点）には、カメラボディ１００への装着に応じて、カメラボディ１００から電圧Ｖｃｃ（第２電圧）が供給される。電源生成回路３１５は、電気接点ＰＡ１１、ＰＡ１２から供給される電圧ＶＢＡＴに基づいて電圧Ｖ２（第３電圧）を生成する。レシーバＩＣ３１３（通信部）は、電源生成回路３１５により生成された電圧Ｖ２により動作し、カメラボディ１００から映像信号を受信する。液晶パネル３０３（表示部）は、レシーバＩＣ３１３により受信された映像信号に基づく映像を表示する。アクセサリＣＰＵ３１０（制御部）は、電気接点ＰＡ１４から供給される電圧Ｖｃｃにより動作し、レシーバＩＣ３１３および液晶パネル３０３を制御する。このようにしたので、電源投入からアクセサリ３００が利用可能になるまでの時間を短縮することができる。
【００５０】
（２）アクセサリＣＰＵ３１０は、電気接点ＰＡ１４から電圧Ｖｃｃが供給されたことに応じて、カメラボディ１００との初期通信（データ通信）を行い、レシーバＩＣ３１３および液晶パネル３０３の制御に用いる情報を受信する。このようにしたので、初期通信を周辺回路の初期化と並行して行うことができ、アクセサリ３００が利用可能になるまでの時間を短縮することができる。
【００５１】
（３）電源生成回路３１５は、電圧ＶＢＡＴに基づいて、電圧Ｖ２と、電圧Ｖ２とは異なる電圧Ｖ１（第４電圧）とを生成する。レシーバＩＣ３１３は、電圧Ｖ１と電圧Ｖ２とにより動作する。このようにしたので、レシーバＩＣ３１３を動作させるために必要な複数の電圧の生成が完了し、レシーバＩＣ３１３が動作可能になるまでの間に、アクセサリＣＰＵ３１０の初期化処理を並行して進行させることができる。
【００５２】
次のような変形も本発明の範囲内であり、変形例の一つ、もしくは複数を上述の実施形態と組み合わせることも可能である。
【００５３】
（変形例１）
本発明は、図１に示したものとは異なるカメラシステムに適用することもできる。例えば、クイックリターンミラーを備えた、いわゆる一眼レフレックス方式のカメラシステムにも本発明を適用することが可能である。また、上記実施形態では、アクセサリ３００内部には液晶パネル３０３が設けられているものとして説明しているが、この液晶パネルの代わりに例えば有機ＥＬパネルなどを用いるようにしても良い。
【００５４】
（変形例２）
近接センサ３１６を、電圧Ｖｃｃにより動作するよう構成してもよい。このようにすることで、アクセサリＣＰＵ３１０の動作開始と同時に、近接センサ３１６の動作も開始させることができる。この場合、アクセサリＣＰＵ３１０は、初期通信の前後に近接センサ３１６による検知結果を確認する。そして、近接センサ３１６が撮影者の近接を検知していなかった場合には、液晶パネル３０３への映像の表示を行わない。他方、近接センサ３１６が撮影者の近接を検知していた場合には、ボディＣＰＵ１１０に、液晶パネル３０３への映像表示を行う旨を通知する。
【００５５】
（変形例３）
カメラボディ１００の動作状態が変化したときに、電圧ＶＢＡＴと電圧Ｖｃｃの給電状態を変化させてもよい。例えば、カメラボディ１００がいわゆるスリープ状態（スタンバイ状態）に遷移したとき、電圧Ｖｃｃは継続してアクセサリ３００に供給し、電圧ＶＢＡＴは供給を中断するようにしてもよい。スリープ状態のとき、カメラボディ１００は背面モニタ１０５にもアクセサリ３００の液晶パネル３０３にも画面表示を行わない。従って、画面表示に関する周辺回路を動作させるための電圧ＶＢＡＴは供給する必要がない。このようにすることで、スリープ状態におけるアクセサリ３００の消費電力を低減することができる。
【００５６】
（変形例４）
上述した実施の形態では、いわゆる外付け型の電子ビューファインダーユニットに本発明を適用した例を説明したが、本発明はこのような実施の形態に限定されない。例えば、より大型の表示画面を備えた、接眼利用を想定しない表示用アクセサリに本発明を適用することもできる。
【００５７】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００５８】
１…カメラシステム、１００…カメラボディ、１０２…撮像素子、１０５…背面モニタ、１１０…ボディＣＰＵ、１１３…トランスミッタＩＣ、２００…交換レンズ、３００…アクセサリ、３０３…液晶パネル、３１０…アクセサリＣＰＵ、３１３…レシーバＩＣ、３１５…電源生成回路
【図１】
2015075503.tif 000003
【図２】
2015075503.tif 000004
【図３】
2015075503.tif 000005
【図４】
2015075503.tif 000006